(57)【要約】【課題】傘を閉じる際に、スムーズな動きができるように構成した実用的な逆閉じ用傘を提供すること。【解決手段】逆閉じ用傘１は、傘部３とメインシャフト５を備えている。傘部３には、スライダシャフト１１とシリンダシャフト１４とを有してメインシャフト５を外嵌走行する傘部開閉駆動部１０を備えている。スライダシャフト１１の第１のスライダ部１１３には主骨１２の一端を枢支し、シリンダシャフト１４の第２のスライダ部１４１には支骨１５の一端を枢支する。そして、支骨１５を主骨１２の中間位置でヒンジ結合する。また、メインシャフト５にストッパフック１８を備え、シリンダシャフト１４の第２のスライダ部１４１が当接した後、スライダシャフト１１を押し上げることによって傘１を開く。傘１を閉じる際には、防水布１３の一端を布収納筒部１４２に内に収納する。【選択図】図４
2007181657.tif 000002
【特許請求の範囲】
【請求項１】
柄部を有するメインシャフトと、防水布を装着するとともに開閉可能に構成された傘部と、を備え、閉塞時において、前記防水布の表面が内部に収容される逆閉じ用傘であって、
前記傘部には、前記メインシャフトを外嵌走行する傘部開閉駆動手段を有し、
前記傘部開閉駆動手段が、前記メインシャフトに外嵌するスライダシャフトと、前記スライダシャフトに外嵌するシリンダシャフトとを備えるとともに、前記スライダシャフトに一端を枢支するとともに前記防水布を装着した主骨と、前記シリンダシャフトに一端を枢支されるとともに前記主骨の中間位置でヒンジ結合された前記支骨とを備え、さらに、前記傘部を閉じる方向に付勢するばね手段と、を有して構成され、
前記傘部開閉駆動手段が、前記メインシャフトに配置されたストッパ手段に当接し、さらに押圧することによって前記傘部を開き、
前記傘部開閉駆動手段が、前記ストッパ手段から離隔することによって前記傘部を閉じるように、構成され、
さらに、前記スライダシャフトは、前記防水布の一端を収納可能な収納手段を設けていることを特徴とする逆閉じ用傘。
【請求項２】
前記収納手段は、前記防水布の一端を前記収納手段内に引き込むための波状ガイドが形成されていることを特徴とする請求項１記載の逆閉じ用傘。
【請求項３】
前記ばね手段が、前記スライダシャフトと前記シリンダシャフト間に掛止される引張りコイルばねであることを特徴とする請求項１又は２記載の逆閉じ用傘。
【請求項４】
前記ストッパ手段が、前記メインシャフトに配設されるとともに前記シリンダシャフトの移動を規制するストッパ部材を有していることを特徴とする請求項１，２又は３記載の逆閉じ用傘。
【請求項５】
前記メインシャフトの両端部は、前記柄部を装着可能に形成されていることを特徴とする請求項１，２，３又は４記載の逆閉じ用傘。
【請求項６】
前記主骨は、前記スライダシャフトの枢支部において、前記スライダシャフトに配置された支持部に対して長孔に形成されたスロット部を有していることを特徴とする請求項１，２，３，４又は５記載の逆閉じ用傘。
【請求項７】
前記スライダシャフトの上面は、前記ストッパ手段を誘導するための傾斜面に形成されていることを特徴とする請求項１，２，３，４，５又は６記載の逆閉じ用傘。
【請求項８】
前記主骨における前記第１のスライダ部側の根元部が折曲可能に構成されていることを特徴とする請求項１記載の逆閉じ用傘。
【請求項９】
前記スライダシャフトには前記ストッパ部材を挿通するスリット部が形成され、前記スリット部が屈曲して形成されていることを特徴とする請求項４記載の逆閉じ用傘。
【請求項１０】
前記メインシャフトの先端部には、前記主骨を支持するキャップが配設され、前記キャップには、それぞれの主骨を収納する溝部が形成されていることを特徴とする請求項１，８又は９記載の逆閉じ用傘。
【発明の詳細な説明】
【技術分野】
【０００１】
本発明は雨に濡れた面を内部に収納できる逆閉じ用傘に関する。
【背景技術】
【０００２】
一般的に、傘は、雨に濡れた面を外側にして閉じるように構成されている。しかし、傘を閉じたときに、傘の表面に付着した水滴を他人に付着させると他人に迷惑がかかり、また傘の表面に付着した水滴をそのまま下方に落下させると屋内の床面を濡らして滑りやすくなることから、やはり他人に迷惑を掛けることとなっていた。また、車両への乗降時に傘を使用する際、一旦、傘を閉じてから、車両への乗降を行うため、本人が雨に濡れやすい状態になっていた。
【０００３】
これを解決するために、従来においては、逆閉じ用傘が多数提案されている。例えば、特許文献１によれば、元部に柄を備える主軸と、主軸に外嵌して親骨を軸支する上ロクロと、主軸に外嵌するとともに上ロクロとスプリングを介して外嵌されて受骨を軸支する下ロクロとを有して逆たたみ可能に構成されている。
【０００４】
また、特許文献２によれば、傘布は洋傘骨に支持されるとともに筒状の柄１内に収納可能に構成されている。これによって傘を閉じるとそのままステッキとして使用することができる。つまり、この洋傘骨は、柄内を摺動する滑動子に弾性可撓性骨を介して接続されている。そして滑動子を柄元の把子側に移動させることによって、放射線状に配置されている洋傘骨が、傘布とともに柄内に収納できるように構成されている。
【特許文献１】実開昭６３−４７７１５号公報（図８参照）
【特許文献２】特開昭５９−２５７０１号公報（３〜５頁、第１図参照）
【発明の開示】
【発明が解決しようとする課題】
【０００５】
しかし、従来の逆閉じ用傘は、実用的に構成されていない。例えば、特許文献１の場合は、傘を閉じる際に、複数の親骨に支持された傘布の元部が上ロクロの上面で重なり合って膨らんだ状態となることから、傘を完全に閉じることができにくく、その処理に手間を掛けてしまう。又、特許文献２においては、傘が開いた状態では、傘布が滑動子に弾性可撓性骨で接続された洋傘骨だけで支持されている。つまり、洋傘骨は、それを支えるための支骨といわれるものに軸支されていないことから、開いた状態では、安定性が悪く傘としての機能を低下することとなっていた。
【課題を解決するための手段】
【０００６】
本発明は、上述の課題を解決するものであり、傘の開閉を容易に行なうことができる実用的な逆閉じ用傘を提供することを目的とする。そのために本発明にかかわる逆閉じ用傘は、
請求項１記載の発明では、柄部を有するメインシャフトと、防水布を装着するとともに開閉可能に構成された傘部と、を備え、閉塞時において、前記防水布の表面が内部に収容される逆閉じ用傘であって、
前記傘部には、前記メインシャフトを外嵌走行する傘部開閉駆動手段を有し、
前記傘部開閉駆動手段が、前記メインシャフトに外嵌するスライダシャフトと、前記スライダシャフトに外嵌するシリンダシャフトとを備えるとともに、前記スライダシャフトに一端を枢支するとともに前記防水布を装着した主骨と、前記シリンダシャフトに一端を枢支されるとともに前記主骨の中間位置でヒンジ結合された前記支骨とを備え、さらに、前記傘部を閉じる方向に付勢するばね手段と、を有して構成され、
前記傘部開閉駆動手段が、前記メインシャフトに配置されたストッパ手段に当接し、さらに押圧することによって前記傘部を開き、
前記傘部開閉駆動手段が、前記ストッパ手段から離隔することによって前記傘部を閉じるように、構成され、
さらに、前記スライダシャフトは、前記防水布の一端を収納可能な収納手段を設けていることを特徴とするものである。
【０００７】
請求項２記載の発明では、前記収納手段は、前記防水布の一端を前記収納手段内に引き込むための波状ガイドが形成されていることを特徴としている。
【０００８】
請求項３記載の発明では、前記ばね手段が、前記スライダシャフトと前記シリンダシャフト間に掛止される引張りコイルばねであることを特徴としている。
【０００９】
請求項４記載の発明では、前記ストッパ手段が、前記メインシャフトに配設されるとともに前記シリンダシャフトの移動を規制するストッパ部材を有していることを特徴としている。
【００１０】
請求項５記載の発明では、前記メインシャフトの両端部は、前記柄部を装着可能に形成されていることを特徴としている。
【００１１】
請求項６記載の発明では、前記主骨は、前記スライダシャフトの枢支部において、前記スライダシャフトに配置された支持部に対して長孔に形成されたスロット部を有していることを特徴としている。
【００１２】
請求項７記載の発明では、前記スライダシャフトの上面は、前記ストッパ手段を誘導するための傾斜面に形成されていることを特徴としている。
【００１３】
請求項８記載の発明では、前記主骨における前記第１のスライダ部側の根元部が折曲可能に構成されていることを特徴としている。
【００１４】
請求項９記載の発明では、前記スライダシャフトには前記ストッパ部材を挿通するスリット部が形成され、前記スリット部が屈曲して形成されていることを特徴としている。
【００１５】
請求項１０記載の発明では、前記メインシャフトの先端部には、前記主骨を支持するキャップが配設され、前記キャップには、それぞれの主骨を収納する溝部が形成されていることを特徴としている。
【発明の効果】
【００１６】
本発明によれば、傘を開く際には、先ず、傘部開閉駆動手段を、メインシャフトに対して、ストッパ手段が傘部開閉駆動手段に当接する位置まで押し上げる。この位置からスライダシャフトをばね手段の付勢力に抗して押し上げる。すると、傘部開閉駆動手段はスライダシャフトとシリンダシャフトとを離隔させるように駆動する。これによってシリンダシャフトに一端を枢支された支骨がスライダシャフトに枢支された主骨を牽引することになる。支骨は主骨の中間部でヒンジ結合されていることから、主骨はスライダシャフトの先端部を中心にして下方に回動することになる。つまり傘を広げることとなる。
【００１７】
傘を閉じる際には、傘部開閉駆動手段がスライダシャフトをシリンダシャフトに対して接近させる方向に駆動する。これによってばね手段がその付勢力でシリンダシャフトをスライダシャフトに対して押し上げることとなって支骨を閉じる方向に回動させる。同時に主骨が逆方向に折り畳まれる。
【００１８】
この際、主骨に支持された防水布の中央側元部は、収納手段内に収納される。これによって、シリンダシャフトの防水布受入口側においては、畳まれた防水布が収納手段でガイドされることとなって、全周面にわたってバランスよく畳むことができ、傘部を容易に閉じることができる。この際、前記収納手段に波状ガイドを形成すれば、さらに防水布をスムーズに折畳むことができる。
【００１９】
また、この発明では、主骨が回動する際には、主骨と支持部との間で摺動可能に構成していることから、防水布を緊張緩和して主骨に大きな負荷を掛けることなく開閉作用を行うことができる。
【００２０】
さらに、この発明では、傘を閉じるときに柄部をメインシャフトの反対側に取り付けるようにすれば、傘を持ち運ぶ際に内部に溜まった水滴を床面上に落下させないことから他人に迷惑を掛けないで済む。
【００２１】
また、この発明では、傘を開いた状態では防水布は緊張状態にあり、傘を閉じる際に防水布が広がって折畳みしにくいことから、主骨を根元部で折曲させることによって、防水布の緊張状態を解除することができてスムーズに傘を閉じることができる。
【００２２】
さらに、傘を閉じる際に、スライダシャフトに挿通されたストッパ部材が、スリット部の屈曲部を通ることによってスライダシャフトを回転させる。これによって、主骨は、キャップの溝にそれぞれ収納されることとなって、収まりを良くすることとなる。
【発明を実施するための最良の形態】
【００２３】
次に、本発明の一形態による逆閉じ用傘について図面に基づいて説明する。
【００２４】
図１〜３は、逆閉じ用傘（以下、傘という）１の全体構成及び傘の開閉における各状態を示すものであり、図４は主要構成を示すものである。傘１は、傘部３と、傘部３を挿通するメインシャフト５とを有して構成され、傘部３にはメインシャフト５を外嵌するとともに傘部３の開閉駆動を行う傘部開閉駆動部（以下、駆動部という）１０とを備えて構成されている。
【００２５】
メインシャフト５には、元部（図１における下部）に柄部６が装着され先端部（図１における上部）には下開き状のキャップ７及び拡径状の頭部８が配置されている。さらに、メインシャフト５の元部側には、メインシャフト５に形成する溝部を出入可能な第１のフック５１が配置されている。第１のフック５１は第１のフック５１の下部に配置された操作ボタン５１１によって駆動される。また、メインシャフト５の中間部にメインシャフト５に形成する溝部を出入可能な第２のフック５２と第２のフック５２の上部に配置されるストッパフック１８（ストッパ手段）が配置されている。
【００２６】
駆動部１０は、メインシャフト５を外嵌走行するスライダシャフト１１と、スライダシャフト１１を外嵌走行するシリンダシャフト１４とが配置され、メインシャフト５を含んで三重軸構造をなしている。スライダシャフト１１は、胴体部１１１を間にして下部に拡径状の手押し部１１２と上部に主骨１２の一端を枢支する拡径状の第１のスライダ部１１３を有して筒状に形成されている。主骨１２は、第１のスライダ部１１３を中心にして放射線状に複数配置されるとともに外面に防水布１３を装着している。また、スライダシャフト１１の上部の周りには防水布１３を押える布押え１１４が、上方に配置されたキャップ７に対して係合可能に形成されている。
【００２７】
さらに、スライダシャフト１１の胴体部１１１には、図５〜６に示すように、傘部３を閉じたときに第１のフック５１に係止可能な第１スリット１１１ａと、ストッパフック１８が挿通する第２スリット１１１ｂと、が形成されている。さらにスライダシャフト１１の上面には傾斜面１１５が形成されている。この傾斜面１１５は、スライダシャフト１１の上方に位置するストッパフック１８をスリット１１１ｂに誘導するために形成されている。
【００２８】
シリンダシャフト１４は、スライダシャフト１１の胴体部１１１を外嵌走行する第２のスライダ部１４１と第２のスライダ部１４１の上部に一体的に配置された筒状の布収納筒部１４２を備えて形成されている。第２のスライダ部１４１は、主骨１２の中間位置で一端をヒンジ結合する支骨１５の他端を枢支可能に形成されている。また、布収納筒部１４２の上面は、複数（主骨１２と同数）の山部を有して波状に形成した波状ガイド部１４３が形成され、傘部３を閉じたときに主骨１２とともに防水布１３の一端を布収納筒部１４２内に収納できるように案内している。
【００２９】
スライダシャフト１１の第１のスライダ部１１３とシリンダシャフト１４の第２のスライダ部１４１間には、スライダシャフト１１の胴体部１１１を外装してシリンダシャフト１４の布収納筒部１４２に内装する引張コイルばね１６が両スライダ部１１３、１４１に掛止して配置されている。
【００３０】
次に、上記のように構成された傘１の作用について説明する。
【００３１】
傘部３が閉じている状態では、図１に示すように、スライダシャフト１１はメインシャフト５の柄部６に接近した位置にあり、第１のフック５１はスライダシャフト１１の第１スリット１１１ａに係合している。また、この状態では、防水布１３の表面（雨に直接濡れる面）は、内部に収納され、主骨１２及び支骨１５が表面に現れている。また、防水布１３及び主骨１２の元部側の一部は、シリンダシャフト１４の布収納筒部１４２内に収納されている。さらに、キャップ７とスライダシャフト１１の布押え１１４とは離れた位置にある。また、この状態においては、ストッパフック１８はスライダシャフト１１の上方にあることから、スライダシャフト１１はメインシャフト５に対して回転方向に規制されていない。従ってスライダシャフト１１はメインシャフト５に対して回転可能な状態となっている。
【００３２】
次に、傘部３を開く場合、図２に示すように、先ず、メインシャフト５に対して駆動部１０を摺動させる。すると、図７に示すように、シリンダシャフト１４の第２のスライダ部１４１の上面がストッパフック１８の下面に当接する。従って第２のスライダ部１４１はこの位置からはその移動を停止する。この際、第１のスライダ部１１３と第２のスライダ部１４１との間を掛止している引張コイルばね１６は図８に示すように圧縮状態にある。
【００３３】
そして、この状態でスライダシャフト１１の手押し部１１２を押し上げると、つまり、図３又は図９に示すように、第１のスライダ部１１３を引張コイルばね１６の付勢力に抗して上方（キャップ７側）に向かって移動させると、シリンダシャフト１４は、スライダシャフト１１に対して相対的に下方に移動することになり、第２のスライダ部１４１を下方に押し下げることとなる。第２のスライダ部１４１に枢支された支骨１５は、主骨１２にヒンジ結合されていることから主骨１２を引き下げることとなる。従って、支骨１５は、第２のスライダ部１４１に対して広げる方向に回動され、主骨１２は、第１のスライダ部１１３に対して広げる方向に回動される。
【００３４】
この際、図１０に示すように、主骨１２の第１のスライダ部１１３に対する枢支部において、主骨１２には長孔状のスロット部１２１が形成されている。そして、主骨１２が第１のスライダ部１１３に埋設されているピン部１１３ａに対して回動する際、ピン部１１３ａが主骨１２のスロット部１２内を相対的に走行することによって、防水布１３が緊張緩和されて主骨１２の一部に大きな負荷をかけることなくスムーズな開閉動作を行うことができる。
【００３５】
また、スライダシャフト１１の上面に形成されている傾斜面１１５がストッパフック１８に向かって移動し、傾斜面１１５がストッパフック１８に当接すると、ストッパフック１８は傾斜面１１５に誘導されながらスリット１１１ｂ内に嵌ることとなる。これによってスライダシャフト１１がメインシャフト５にその回転方向の移動が規制されて、上下方向だけの移動を行うこととなる。
【００３６】
さらに、スライダシャフト１１を押し上げると、第２のフック５２がスライダシャフト１１の胴体部１１１内から外部に突出することとなって、スライダシャフト１１の手押し部１１２の下面が第２のフック５２の上面に当接する。これによって、傘部３は開いた状態を維持することができる。引張コイルばね１６は伸張して、傘部３を閉じる方向に付勢している。
【００３７】
また、図１１に示すように、スライダシャフト１１の第１のスライダ部１１３の周りには、防水布１３を中心部に引き寄せて主骨１２に押し付けることによってセンター調整する布地センター調整部材１９が嵌装されている。これによって、傘部３が開いたときに防水布１３は、図１２に示すように、一部に偏ることなく全周にわたって張り出すことができる。
【００３８】
また、傘部３が完全に開いた状態の時には、図１３に示すように、布押え１１４が防水布１３を押えるとともに、布押え１１４とキャップ７が係合し布地センター調整部材１９の上部が布押え１１４内に収納することとなって、雨が傘部３内に入ることを防止することになる。
【００３９】
次に、傘部３を閉じる際の作用について説明する。傘部３を閉じる場合には、第２のフック５２をメインシャフト５の溝内に押し込むことによって、スライダシャフト１１の手押し部１１２が第２のフック５２から解除される。すると、引張コイルばね１６の付勢力が、第１のスライダ部１１３と第２のスライダ部１４１とを接近させる方向に働く。つまり、第１のスライダ部１１３をキャップ７から離隔することとなり、支骨１５を第２のスライダ部１４１に対して閉じる方向に回動させる。一方、主骨１２も第１のスライダ部１１３に対して閉じる方向に回動して支骨１５と主骨１２とを防水布１３とともにメインシャフト５側に移動する。
【００４０】
そして、第１のスライダ部１１３がシリンダシャフト１４の布収納筒部１４２内に収納されると、主骨１２の中央部側元部が防水布１３の元部とともに布収納筒部１４２内に波状ガイド部１４３に案内されながら収納されることとなる。波状ガイド部１４３は、それぞれの主骨１２と同数に形成されていることにより、防水布１３の元部は、スライダシャフト１１の胴体部１１１の周りで偏った重なりを起こすことなく波状ガイド部１４３に沿って収納される。従って、防水布１３はスムーズに閉じることができる。
【００４１】
閉じられた傘部３は、防水布１３の表面側に雨水が付着されていることから、雨水は、傘部３の内部に溜まることになり、閉じた傘部３の外面、つまり防水布１３の裏面側には雨水は付着されていない。従って、傘部３の内部に貯溜された雨水は、影響のない適当な場所に捨てれば、例えば、室内で持ち歩いても他人に迷惑をかけることがない。
【００４２】
上述のように、実施形態の逆閉じ用傘１では、メインシャフト５、スライダシャフト１１、シリンダシャフト１４とで三重軸構造をなしている。そして、スライダシャフト１１及びシリンダシャフト１４が、メインシャフト５を外嵌走行する際、シリンダシャフト１４がストッパフック１８によって移動を停止した後、スライダシャフト１１を押し上げることによって傘部３を広げることができる。つまり、スライダシャフト１１に枢支された主骨１２は、シリンダシャフト１４に枢支された支骨１５によって引っ張られて広げることができることから、確実に開閉作用を行なうことができる。
【００４３】
しかも、傘部３を閉じる際に、主骨１２と防水布１３の中心側元部が波状ガイド部１４３に案内されて布収納筒部１４２内に収納されることから、スライダシャフト１の胴体部１１１の周りで偏った重なりを起こさず、折畳む際のトラブルを発生しにくい。
【００４４】
さらに、支骨１５とヒンジ結合された主骨１２が回動する際には、長孔状に形成された主骨１２のスロット部１２１と第１のスライダ部１１３のピン部１１３ａとの間で摺動できることから、防水布１３の緊張緩和をして主骨１２にかかる負荷を防止できて主骨１２を損傷させない。
【００４５】
また、スライダシャフト１１の上面に形成された傾斜面は、傘部３を広げる際にストッパフック１８をスリット１１１ｂに係合させるための誘導をすることができ、メインシャフト５に対して回転方向に自由となっていたスライダシャフト１１を自動的に回転方向の位置決めを行うことができる。
【００４６】
これらによって、実用的な逆閉じ用傘として構成することができて、防水布１３の表面に付着した雨水を、他人に付着させたり、また、室内の床面に落下させたりすることがなく、さらに車両の乗降にも好適に使用することが可能となる。
【００４７】
また、メインシャフト５の一端に装着されている柄部６をメインシャフト５とねじ手段又はワンタッチ式ロック手段によって装着し、メインシャフト５の他端に配置された頭部８にねじ手段又はワンタッチ式ロック手段を形成しておけば、傘部３を閉じた状態で持ち歩く際に、柄部６をメインシャフト５の他端に装着しなおすことによって、持ち歩きしやすくなる。
【００４８】
なお、本発明の逆閉じ用傘は、メインシャフトとスライダシャフト及びシリンダシャフトとの三重軸構造をなすとともに、傘を閉じる際に防水布を偏らずに収納できるように構成することによって閉じることができるものであれば、上述の形態に限定するものではなく、一般的な機械要素を組み合わせたものであってもよい。
【００４９】
さらに改良された逆閉じ用傘１Ａの形態は、図１４〜１６に示すように、主骨１２を根元部で折曲するように形成されている。つまり、防水布１３を開いている状態では、主骨１２は湾曲状態にあるため、主骨１２の先端部外周（外径）Ｌ１は、平面視において、最大径（水平状態のとき）Ｌ２より小径となっている。そのため、傘を折畳んで閉じるまでの間に、主骨１２の水平位置において、平面視、主骨１２の先端部外周が最大径Ｌ２となる位置を通過することから。主骨１２に装着された防水布１３は、主骨１２の先端部外周の最大径Ｌ２の位置において、外側に広がる方向に引っ張られることになり、傘を閉じるまでの間のスムーズな動きを妨げることになる。このため、予め主骨１２の先端部外周を最大径Ｌ２に合わせて防水布の大きさを形成すると、傘を開いた状態で、防水布が弛むことになる。
【００５０】
本発明の更なる改良点は、このことを防止するために構成するものである。従って、本形態では、主骨１２を、防水布１３の広い部分を装着する主骨本体１２５と第１のスライダ部１１３に固着される主骨元部１２６とに分割して形成し、主骨本体１２５と主骨元部１２６とを枢着ピン１２７で枢着している。これによって、傘を閉じる際に、主骨１２は、主骨本体１２５と主骨元部１２６との間で折曲することができる。そのため、主骨１２が水平状態の位置に移行しても、折曲することによって、主骨１２の先端部外周は最大径Ｌ２とならないから、防水布１３の外側への広がりはなくなり、スムーズな動きを達成することができる。
【００５１】
また、図１４及び図１７〜１８に示すように、メインシャフト５のスライダシャフト１１の上方には、傘を開くときに各主骨１２（主骨元部１２６）を押し出し、傘を閉じたときに各主骨１２（主骨本体１２５）を収納するキャップ７１が配置されている。このキャップ７１には、側面にそれぞれの主骨１２（種骨本体１２５）が収納される収納溝７２と、下面に主骨元部１２６を押圧する押圧ガイド面７３が形成されている。この構成によって、スライダシャフト１１を上部に持ち上げて主骨１２を開く際、主骨元部１２６はキャップ７１の下面に形成されたガイド面７３に沿って下方に押し出されて伸展し、最終的に主骨本体１２５と主骨元部１２６とが直線状に形成されることとなる。
【００５２】
さらに、スライダシャフト１１には第３スリット１１１ｃが形成されている。第３スリット１１１ｃは、下部で屈曲して形成されている。これによって、第３スリット１１１ｃ内を走行するストッパフック１８が、第３スリット１１１ｃの屈曲部を通過する際、スライダシャフト１１をメインシャフト５に対して、所定の角度で回転することができる。所定の角度で回転された位置を、主骨１２（主骨本体１２５）がキャップ７１の収納溝７２に嵌合する位置と一致する位置に設定している。従って、この構成によって、傘を閉じる際、主骨１２（主骨本体１２５）をスムーズに収納することができ、収納作業効率を向上することができる。
【図面の簡単な説明】
【００５３】
【図１】本発明の一形態による逆閉じ用傘を示す全体図である。
【図２】図１における逆閉じ用傘の開き始めを示す全体図である。
【図３】図１における逆閉じ用傘の開いた状態を示す全体図である。
【図４】図１における逆閉じ用傘の傘開閉駆動部を示す主要断面図である。
【図５】図４における傘開閉駆動部のスライダシャフトを示す正面図である。
【図６】図４のスライダシャフトの組付状態を示す正面図である。
【図７】図４のスライダシャフトを移動して第２のスライダを第３のフックに当接させた状態を示す作用図である。
【図８】引張コイルばねの自然状態を示す正面図である
【図９】傘部を開く状態を示す作用図である
【図１０】主骨のスロット部を示す一部正面図である。
【図１１】布地センター調整部材を示す一部正面図である。
【図１２】傘部の開いた状態を示す平面図である。
【図１３】布地センター調整部材とキャップとの関係を示す正面図である。
【図１４】本発明の別の形態による主骨の周りを示す一部正面図である。
【図１５】図１４の詳細を示す一部拡大図である。
【図１６】主骨及び防水布の外径の変化を示す説明図である。
【図１７】図１４におけるキャップを示す平面図である。
【図１８】別の形態によるスライダシャフトを示す正面図である。
【符号の説明】
【００５４】
１、傘
３、傘部
５、メインシャフト
６、柄部
１０、駆動部（傘部開閉駆動部）
１１、スライダシャフト
１１１、胴体部
１１１ｃ、第３スリット
１１２、手押し部
１１３、第１のスライダ部
１１４、布押え
１１５、傾斜面
１２、主骨
１２１、スロット部
１２５、主骨本体
１２６、主骨元部
１２７、枢着ピン
１３、防水布
１４、シリンダシャフト
１４１、第２のスライダ部
１４２、布収納筒部
１４３、波状ガイド部
１５、支骨
１６、引張コイルばね
１８、ストッパフック（ストッパ手段）
１９、布地センター調整部材
５１、第１のフック
５２、第２のフック
７１、キャップ
７２、収納溝
７３、ガイド面
【図１】
2007181657.tif 000003
【図２】
2007181657.tif 000004
【図３】
2007181657.tif 000005
【図４】
2007181657.tif 000006
【図５】
2007181657.tif 000007
【図６】
2007181657.tif 000008
【図７】
2007181657.tif 000009
【図８】
2007181657.tif 000010
【図９】
2007181657.tif 000011
【図１０】
2007181657.tif 000012
【図１１】
2007181657.tif 000013
【図１２】
2007181657.tif 000014
【図１３】
2007181657.tif 000015
【図１４】
2007181657.tif 000016
【図１５】
2007181657.tif 000017
【図１６】
2007181657.tif 000018
【図１７】
2007181657.tif 000019
【図１８】
2007181657.tif 000020